(57)【要約】【課題】      利用者によって隣接する複数の項目に跨って記入された記号等が、どの項目に対して記入されたものであるかを容易且つ的確に識別することができる識別システムを提供する。【解決手段】  識別システム１００において、利用者は、電子ペン１０を使用して申込書３６の所定の記入欄に記号を記入する。利用者が記入した記号に関する記入データは、電子ペン１０から利用者端末２５を介して識別サーバ５に送信される。識別サーバ５は、取得した記入データからストローク毎の座標データを抽出する。さらに、識別サーバ５は、抽出したストローク毎の座標データから、当該ストロークを構成する１つ以上のサンプル点の座標データを抽出する。そして、識別サーバ５は、サンプル点の座標データに基づいて、申込書３６に配置された記入欄とドットパターン上の位置座標とが対応付けされた座標テーブル５０８を参照することにより、ストロークがどの記入欄に対して記入されたものであるかを識別する。【選択図】    図９
2005149264.tif 000002
【特許請求の範囲】
【請求項１】
電子ペンにより認識可能なドットパターンが印刷された電子ペン用帳票を使用した識別システムにおいて、
前記電子ペン用帳票は、記入者が前記電子ペンにより記入を行う複数の記入欄から構成されており、前記記入欄の情報に対応するドットパターンが印刷されたものであって、
前記識別システムは、
前記記入欄に設定された領域と、前記ドットパターン上の位置座標とが対応付けされた情報を座標情報として取得する座標情報取得手段と、
前記電子ペン用帳票に記入された記入データを取得する記入データ取得手段と、
前記記入データから、前記記入者が前記電子ペンを使用して１回の動作で記入したストロークに関する座標データを抽出するストローク抽出手段と、
前記ストロークに関する座標データから、当該ストロークを構成する１つ以上のサンプル点の座標データを抽出するサンプル点抽出手段と、
前記サンプル点の座標データ及び前記座標情報に基づいて、前記ストロークが記入された記入欄を識別する識別手段と、を備えることを特徴とする識別システム。
【請求項２】
前記識別システムは、前記サンプル点の座標データ及び前記座標情報に基づいて、前記電子ペン用帳票を構成する各記入欄に含まれる前記サンプル点の数を算出する算出手段をさらに備え、
前記識別手段は、前記サンプル点が最も多く含まれている記入欄を、前記ストロークが記入された記入欄であると識別することを特徴とする請求項１に記載の識別システム。
【請求項３】
電子ペンにより認識可能なドットパターンが印刷された電子ペン用帳票を使用した識別システムにおいて、
前記電子ペン用帳票は、記入者が前記電子ペンにより記入を行う複数の記入欄から構成されており、前記記入欄の情報に対応するドットパターンが印刷されたものであって、
前記識別システムは、
前記記入欄に設定された領域と、前記ドットパターン上の位置座標とが対応付けされた情報を座標情報として取得する座標情報取得手段と、
前記電子ペン用帳票に記入された記入データを取得する記入データ取得手段と、
前記記入データから、前記記入者が前記電子ペンを使用して１回の動作で記入したストロークに関する座標データを抽出するストローク抽出手段と、
前記ストロークに関する座標データから、当該ストロークを構成する１つ以上のサンプル点の座標データを抽出するサンプル点抽出手段と、
前記サンプル点の座標データに基づいて、前記ストロークにより設定された領域であるストローク部を規定するストローク部座標を算出するストローク部座標算出手段と、
前記座標情報から、前記記入欄により設定された領域である記入部を規定する記入部座標を抽出する記入部座標抽出手段と、
前記ストローク部座標と前記記入部座標に基づいて、前記ストローク部と前記記入部が重複する領域である重複部の面積を算出する重複面積算出手段と、
前記重複面積に基づいて、前記ストロークが記入された記入欄を識別する識別手段と、を備えることを特徴とする識別システム。
【請求項４】
前記識別手段は、前記重複面積が最も大きい記入部に対応する記入欄を、前記ストロークが記入された記入欄であると識別することを特徴とする請求項３に記載の識別システム。
【請求項５】
電子ペンにより認識可能なドットパターンが印刷された電子ペン用帳票を使用した識別システムにおいて、
前記電子ペン用帳票は、記入者が前記電子ペンにより記入を行う複数の記入欄から構成されており、前記記入欄の情報に対応するドットパターンが印刷されたものであって、
前記識別システムは、
前記記入欄に設定された領域と、前記ドットパターン上の位置座標とが対応付けされた情報を座標情報として取得する座標情報取得手段と、
前記電子ペン用帳票に記入された記入データを取得する記入データ取得手段と、
前記記入データから、前記記入者が前記電子ペンを使用して１回の動作で記入したストロークに関する座標データを抽出するストローク抽出手段と、
前記ストロークに関する座標データから、当該ストロークを構成する１つ以上のサンプル点の座標データを抽出するサンプル点抽出手段と、
前記サンプル点が、前記ストロークに対して均等に抽出されたか否かを判定する判定手段と、
前記サンプル点の座標データ及び前記座標情報に基づいて、前記ストロークが記入された記入欄を識別する第１識別手段と、
前記サンプル点の座標データに基づいて、前記ストロークにより設定された領域であるストローク部を規定するストローク部座標を算出するストローク部座標算出手段と、
前記座標情報から、前記記入欄により設定された領域である記入部を規定する記入部座標を抽出する記入部座標抽出手段と、
前記ストローク部座標及び前記記入部座標に基づいて、前記ストローク部と前記記入部が重複する領域である重複部の面積を算出する重複面積算出手段と、
前記重複面積に基づいて、前記ストロークが記入された記入欄を識別する第２識別手段と、を備え、
前記判定手段が、前記サンプル点が前記ストロークに対して均等に抽出されたと判定した場合に、前記第１識別手段により前記ストロークが記入された記入欄を識別し、
前記判定手段が、前記サンプル点が前記ストロークに対して均等に抽出されていないと判定した場合に、前記第２識別手段により前記ストロークが記入された記入欄を識別することを特徴とする識別システム。
【請求項６】
電子ペンにより認識可能なドットパターンが印刷された電子ペン用帳票を使用したコンピュータにより実行されるプログラムであって、
前記電子ペン用帳票は、記入者が前記電子ペンにより記入を行う複数の記入欄から構成されており、前記記入欄の情報に対応するドットパターンが印刷されたものであり、
前記プログラムは、
前記記入欄に設定された領域と、前記ドットパターン上の位置座標とが対応付けされた情報を座標情報として取得する座標情報取得手段、
前記電子ペン用帳票に記入された記入データを取得する記入データ取得手段、
前記記入データから、前記記入者が前記電子ペンを使用して１回の動作で記入したストロークに関する座標データを抽出するストローク抽出手段、
前記ストロークに関する座標データから、当該ストロークを構成する１つ以上のサンプル点の座標データを抽出するサンプル点抽出手段、
前記サンプル点の座標データ及び前記座標情報に基づいて、前記ストロークが記入された記入欄を識別する識別手段、として前記コンピュータを機能させることを特徴とするプログラム。
【請求項７】
電子ペンにより認識可能なドットパターンが印刷された電子ペン用帳票を使用したコンピュータにより実行されるプログラムであって、
前記電子ペン用帳票は、記入者が前記電子ペンにより記入を行う複数の記入欄から構成されており、前記記入欄の情報に対応するドットパターンが印刷されたものであり、
前記プログラムは、
前記記入欄に設定された領域と、前記ドットパターン上の位置座標とが対応付けされた情報を座標情報として取得する座標情報取得手段、
前記電子ペン用帳票に記入された記入データを取得する記入データ取得手段、
前記記入データから、前記記入者が前記電子ペンを使用して１回の動作で記入したストロークに関する座標データを抽出するストローク抽出手段、
前記ストロークに関する座標データから、当該ストロークを構成する１つ以上のサンプル点の座標データを抽出するサンプル点抽出手段、
前記サンプル点の座標データに基づいて、前記ストロークにより設定された領域であるストローク部を規定するストローク部座標を算出するストローク部座標算出手段、
前記座標情報から、前記記入欄により設定された領域である記入部を規定する記入部座標を抽出する記入部座標抽出手段、
前記ストローク部座標と前記記入部座標に基づいて、前記ストローク部と前記記入部が重複する領域である重複部の面積を算出する重複面積算出手段、
前記重複面積に基づいて、前記ストロークが記入された記入欄を識別する識別手段、として前記コンピュータを機能させることを特徴とするプログラム。
【請求項８】
電子ペンにより認識可能なドットパターンが印刷された電子ペン用帳票を使用したコンピュータにより実行されるプログラムであって、
前記電子ペン用帳票は、記入者が前記電子ペンにより記入を行う複数の記入欄から構成されており、前記記入欄の情報に対応するドットパターンが印刷されたものであり、
前記プログラムは、
前記記入欄に設定された領域と、前記ドットパターン上の位置座標とが対応付けされた情報を座標情報として取得する座標情報取得手段、
前記電子ペン用帳票に記入された記入データを取得する記入データ取得手段、
前記記入データから、前記記入者が前記電子ペンを使用して１回の動作で記入したストロークに関する座標データを抽出するストローク抽出手段、
前記ストロークに関する座標データから、当該ストロークを構成する１つ以上のサンプル点の座標データを抽出するサンプル点抽出手段、
前記サンプル点が、前記ストロークに対して均等に抽出されたか否かを判定する判定手段、
前記サンプル点の座標データ及び前記座標情報に基づいて、前記ストロークが記入された記入欄を識別する第１識別手段、
前記サンプル点の座標データに基づいて、前記ストロークにより設定された領域であるストローク部を規定するストローク部座標を算出するストローク部座標算出手段、
前記座標情報から、前記記入欄により設定された領域である記入部を規定する記入部座標を抽出する記入部座標抽出手段、
前記ストローク部座標及び前記記入部座標に基づいて、前記ストローク部と前記記入部が重複する領域である重複部の面積を算出する重複面積算出手段、
前記重複面積に基づいて、前記ストロークが記入された記入欄を識別する第２識別手段、として前記コンピュータを機能させ、
前記判定手段が、前記サンプル点が前記ストロークに対して均等に抽出されたと判定した場合に、前記第１識別手段により前記ストロークが記入された記入欄を識別し、
前記判定手段が、前記サンプル点が前記ストロークに対して均等に抽出されていないと判定した場合に、前記第２識別手段により前記ストロークが記入された記入欄を識別することを特徴とするプログラム。
【発明の詳細な説明】
【技術分野】
【０００１】
本発明は、電子ペンで記入した情報を正確に取得することができる技術に関する。
【背景技術】
【０００２】
従来、官公庁、金融機関あるいは民間会社その他に提出する申請書などの各種書類（以下、「各種申請書類」と呼ぶ。）には利用者がボールペンなどを利用して必要事項を記入し、記入済みの書類を提出していた。一方、近年では、従来からの紙の帳票の代わりに、帳票を電子化した電子フォームが利用されてきている。電子フォームは、紙の帳票の記入項目などを複数のフィールドとして含む電子データである。帳票を作成する利用者は、パーソナルコンピュータなどに電子フォームを読み込んで表示装置上に表示し、キーボードやマウスなどの入力装置を操作して電子フォームに必要事項を入力する。入力された事項は電子データとして取得され、ネットワークなどを通じて当該帳票の提出先機関などに送信することができる。
【０００３】
しかし、官公庁、金融機関あるいは民間会社などに提出する各種申請書類を作成する場合、パーソナルコンピュータの操作方法に関する知識を十分に有しない利用者や、キーボード入力をあまり得意としない利用者などにとっては、上述の電子フォームを上手に利用することは難しいことが多い。そのような利用者にとっては、むしろ従来から行われているように、紙の帳票に対してペン入力する方法が最も容易である。
【０００４】
このような場合に有効な入力デバイスとして、近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入データ（「ストロークデータ」ともいう）が取得される。この記入データが、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。一方、官公庁などの各種申請書類の提出先でも、利用者の記入事項は従来のように紙の書類としてではなく、記入データとして取得することができるので、そのままその後サーバなどによって電子的な処理を行うことができるというメリットがある。
【０００５】
通常、各種申請書類には、利用者が記入事項として文字や数字を記入するための項目が設けられている。利用者により記入された記入事項を電子ペンなどによってデータ化するためには、文字等がどの項目に対して記入されたものであるかを正しく識別することが必要となる。しかし、各種申請書類の項目は縦横方向にそれぞれ隣接して配置されていることが多く、利用者は、本来記入すべき項目からはみ出して文字等を記入してしまうことがある。この場合、記入データを扱う官公庁等のサーバが、利用者により記入された文字等がどの項目に対するものであるかの認識を誤り、利用者の意図に反した項目に対して記入された文字等として処理してしまうという問題が生じていた。
【発明の開示】
【発明が解決しようとする課題】
【０００６】
本発明は、以上の点に鑑みてなされたものであり、隣接した項目に跨って記入されたストロークが、どの項目に対して記入されたものであるかを容易且つ的確に識別することができる識別システムを提供することを課題とする。
【課題を解決するための手段】
【０００７】
本発明の１つの観点では、電子ペンにより認識可能なドットパターンが印刷された電子ペン用帳票を使用した識別システムにおいて、前記電子ペン用帳票は、記入者が前記電子ペンにより記入を行う複数の記入欄から構成されており、前記記入欄の情報に対応するドットパターンが印刷されたものであって、前記識別システムは、前記記入欄に設定された領域と、前記ドットパターン上の位置座標とが対応付けされた情報を座標情報として取得する座標情報取得手段と、前記電子ペン用帳票に記入された記入データを取得する記入データ取得手段と、前記記入データから、前記記入者が前記電子ペンを使用して１回の動作で記入したストロークに関する座標データを抽出するストローク抽出手段と、前記ストロークに関する座標データから、当該ストロークを構成する１つ以上のサンプル点の座標データを抽出するサンプル点抽出手段と、前記サンプル点の座標データ及び前記座標情報に基づいて、前記ストロークが記入された記入欄を識別する識別手段と、を備える。
【０００８】
上記のように構成された識別システムにおいて、記入者は、まず、電子ペンを使用して電子ペン用帳票の所定の記入欄に記入を行う。識別システムは、電子ペンは、電子ペンの移動に伴って帳票上のドットパターンを読み取り、記入者が記入した記号に関する記入データを取得する。ここで、記号とは、文字や数字を含む広い概念とする。また、記入データには、当該ドットパターン上の位置座標が含まれている。電子ペンが取得した記入データは、識別システムにより取得される。識別システムは、取得した記入データからストローク毎の座標データを抽出する。さらに、識別システムは、抽出したストローク毎の座標データから、当該ストロークを構成する１つ以上のサンプル点の座標データを抽出する。そして、識別システムは、サンプル点の座標データに基づいて、帳票上の記入欄に設定された領域とドットパターン上の位置座標とが対応付けされた座標情報を参照することにより、ストロークがどの記入欄に対して記入されたものであるかを識別する。
【０００９】
これによれば、複数の記入欄に跨ってストロークが記入された場合であっても、識別システムは、容易且つ的確に記入者が意図する記入欄を識別することが可能となる。よって、正確に記入するといった記入者の負担を軽減することができる。
【００１０】
上記識別システムの一態様では、前記識別システムは、前記サンプル点の座標データ及び前記座標情報に基づいて、前記電子ペン用帳票を構成する各記入欄に含まれる前記サンプル点の数を算出する算出手段をさらに備え、前記識別手段は、前記サンプル点が最も多く含まれている記入欄を、前記ストロークが記入された記入欄であると識別する。これによれば、識別システムは、サンプル点の座標データに基づいて、座標情報を参照することにより、帳票上の各記入欄にストロークを構成するサンプル点がいくつ含まれるかを算出する。そして、識別システムは、ストロークを構成するサンプル点が最も多く含まれる記入欄を、記入者の意図により当該ストロークが記入された記入欄であると識別する。即ち、ストロークを構成するサンプル点が含まれる数によって、容易に記入者が意図する記入欄を識別することができる。
【００１１】
本発明の別の観点では、電子ペンにより認識可能なドットパターンが印刷された電子ペン用帳票を使用した識別システムにおいて、前記電子ペン用帳票は、記入者が前記電子ペンにより記入を行う複数の記入欄から構成されており、前記記入欄の情報に対応するドットパターンが印刷されたものであって、前記識別システムは、前記記入欄に設定された領域と、前記ドットパターン上の位置座標とが対応付けされた情報を座標情報として取得する座標情報取得手段と、前記電子ペン用帳票に記入された記入データを取得する記入データ取得手段と、前記記入データから、前記記入者が前記電子ペンを使用して１回の動作で記入したストロークに関する座標データを抽出するストローク抽出手段と、前記ストロークに関する座標データから、当該ストロークを構成する１つ以上のサンプル点の座標データを抽出するサンプル点抽出手段と、前記サンプル点の座標データに基づいて、前記ストロークにより設定された領域であるストローク部を規定するストローク部座標を算出するストローク部座標算出手段と、前記座標情報から、前記記入欄により設定された領域である記入部を規定する記入部座標を抽出する記入部座標抽出手段と、前記ストローク部座標と前記記入部座標に基づいて、前記ストローク部と前記記入部が重複する領域である重複部の面積を算出する重複面積算出手段と、前記重複面積に基づいて、前記ストロークが記入された記入欄を識別する識別手段と、を備える。
【００１２】
上記のように構成された識別システムにおいて、記入者は、まず、電子ペンを使用して電子ペン用帳票の所定の記入欄に記入を行う。識別システムは、電子ペンは、電子ペンの移動に伴って帳票上のドットパターンを読み取り、記入者が記入した記号に関する記入データを取得する。ここで、記号とは、文字や数字を含む広い概念とする。また、記入データには、当該ドットパターン上の位置座標が含まれている。電子ペンが取得した記入データは、識別システムにより取得される。識別システムは、取得した記入データからストローク毎の座標データを抽出する。さらに、識別システムは、抽出したストローク毎の座標データから、当該ストロークを構成する１つ以上のサンプル点の座標データを抽出する。
【００１３】
次に、識別システムは、サンプル点の座標データに基づいて、当該ストロークにより設定されたストローク部を規定するストローク部座標を算出する。また、識別システムは、座標情報から、帳票上の記入欄により設定された記入部を規定する記入部座標を抽出する。さらに、識別システムは、ストローク部座標と記入部座標に基づいて、ストローク部と記入部が重複する領域である重複部の面積を算出する。そして、識別システムは、算出した重複部の面積に基づいて、ストロークがどの記入欄に対して記入されたものであるかを識別する。
【００１４】
これによれば、電子ペンの仕様により、ストロークに対するサンプル点が均等に抽出できない場合であり、且つ、複数の記入欄に跨ってストロークが記入された場合であっても、識別システムは、容易且つ的確に記入者が意図する記入欄を識別することが可能となる。
【００１５】
上記識別システムの一態様では、前記識別手段は、前記重複面積が最も大きい記入部に対応する記入欄を、前記ストロークが記入された記入欄であると識別する。これによれば、識別システムは、重複面積が最も大きい記入欄を、記入者の意図により当該ストロークが記入された記入欄であると識別する。即ち、所定のストロークに対応するストローク部と、所定の記入欄に対応する記入部に基づいて算出される重複部の面積により、容易に記入者が意図する記入欄を識別することができる。
【００１６】
本発明の別の観点では、電子ペンにより認識可能なドットパターンが印刷された電子ペン用帳票を使用した識別システムにおいて、前記電子ペン用帳票は、記入者が前記電子ペンにより記入を行う複数の記入欄から構成されており、前記記入欄の情報に対応するドットパターンが印刷されたものであって、前記識別システムは、前記記入欄に設定された領域と、前記ドットパターン上の位置座標とが対応付けされた情報を座標情報として取得する座標情報取得手段と、前記電子ペン用帳票に記入された記入データを取得する記入データ取得手段と、前記記入データから、前記記入者が前記電子ペンを使用して１回の動作で記入したストロークに関する座標データを抽出するストローク抽出手段と、前記ストロークに関する座標データから、当該ストロークを構成する１つ以上のサンプル点の座標データを抽出するサンプル点抽出手段と、前記サンプル点が、前記ストロークに対して均等に抽出されたか否かを判定する判定手段と、前記サンプル点の座標データ及び前記座標情報に基づいて、前記ストロークが記入された記入欄を識別する第１識別手段と、前記サンプル点の座標データに基づいて、前記ストロークにより設定された領域であるストローク部を規定するストローク部座標を算出するストローク部座標算出手段と、前記座標情報から、前記記入欄により設定された領域である記入部を規定する記入部座標を抽出する記入部座標抽出手段と、前記ストローク部座標及び前記記入部座標に基づいて、前記ストローク部と前記記入部が重複する領域である重複部の面積を算出する重複面積算出手段と、前記重複面積に基づいて、前記ストロークが記入された記入欄を識別する第２識別手段と、を備え、前記判定手段が、前記サンプル点が前記ストロークに対して均等に抽出されたと判定した場合に、前記第１識別手段により前記ストロークが記入された記入欄を識別し、前記判定手段が、前記サンプル点が前記ストロークに対して均等に抽出されていないと判定した場合に、前記第２識別手段により前記ストロークが記入された記入欄を識別する。
【００１７】
上記のように構成された識別システムにおいて、記入者は、まず、電子ペンを使用して電子ペン用帳票の所定の記入欄に記入を行う。識別システムは、電子ペンは、電子ペンの移動に伴って帳票上のドットパターンを読み取り、記入者が記入した記号に関する記入データを取得する。また、記入データには、当該ドットパターン上の位置座標が含まれている。電子ペンが取得した記入データは、識別システムにより取得される。識別システムは、取得した記入データからストローク毎の座標データを抽出する。さらに、識別システムは、抽出したストローク毎の座標データから、当該ストロークを構成する１つ以上のサンプル点の座標データを抽出する。そして、識別システムは、サンプル点の座標データに基づいて、帳票上の記入欄に設定された領域とドットパターン上の位置座標とが対応付けされた座標情報を参照することにより、ストロークがどの記入欄に対して記入されたものであるかを識別する。これを第１識別処理とする。
【００１８】
さらに、識別システムは、サンプル点の座標データに基づいて、当該ストロークにより設定されたストローク部を規定するストローク部座標を算出する。また、識別システムは、座標情報から、帳票上の記入欄により設定された記入部を規定する記入部座標を抽出する。そして、識別システムは、ストローク部座標と記入部座標に基づいて、ストローク部と記入部が重複する領域である重複部の面積を算出し、当該重複部の面積に基づいて、ストロークがどの記入欄に対して記入されたものであるかを識別する。これを第２識別処理とする。
【００１９】
識別システムは、ストロークに対するサンプル点を均等に抽出できたか否かを判定し、均等に抽出できた場合は、処理の負荷が小さく、迅速に行うことができる第１識別処理を行う。一方、均等に抽出できなかった場合は、サンプル点の数に関係なく識別することができる第２識別処理を行う。このように、識別システムは、第１識別処理と第２識別処理を組み合わせて記入者が意図する記入欄を識別することにより、負荷を軽減させ、且つ、効率的に処理を行うことができる。
【００２０】
本発明のさらに別の観点では、電子ペンにより認識可能なドットパターンが印刷された電子ペン用帳票を使用したコンピュータにより実行されるプログラムであって、前記電子ペン用帳票は、記入者が前記電子ペンにより記入を行う複数の記入欄から構成されており、前記記入欄の情報に対応するドットパターンが印刷されたものであり、前記プログラムは、前記記入欄に設定された領域と、前記ドットパターン上の位置座標とが対応付けされた情報を座標情報として取得する座標情報取得手段、前記電子ペン用帳票に記入された記入データを取得する記入データ取得手段、前記記入データから、前記記入者が前記電子ペンを使用して１回の動作で記入したストロークに関する座標データを抽出するストローク抽出手段、前記ストロークに関する座標データから、当該ストロークを構成する１つ以上のサンプル点の座標データを抽出するサンプル点抽出手段、前記サンプル点の座標データ及び前記座標情報に基づいて、前記ストロークが記入された記入欄を識別する識別手段、として前記コンピュータを機能させる。
【００２１】
上記プログラムをコンピュータにより実行することにより、上述の識別システムを実現することができる。また、上述の識別システムの各態様も同様に実現することができる。
【発明の効果】
【００２２】
本発明によれば、隣接した項目に跨って記入されたストロークが、どの項目に対して記入されたものであるかを容易且つ的確に識別することができる。
【発明を実施するための最良の形態】
【００２３】
以下、図面を参照して本発明の好適な実施の形態について説明する。まず、本発明のシステムにおいて入力デバイスとして使用される電子ペンの概要について説明する。
【００２４】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２５】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２６】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２７】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２８】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２９】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３０】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３１】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００３２】
バッテリー１４は電子ペン１０内の各要素に電源供給するためのものであり、例えば電子ペンのキャップ（図示せず）により電子ペン１０自体の電源のオン／オフを行うことができる。
【００３３】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３４】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３５】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３６】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３７】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３８】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３９】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００４０】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４１】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００４２】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４３】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４４】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４５】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００４６】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４７】
なお、本明細書においては、「印刷」の語は、通常の印刷のみならず、プリンタによるプリントも含む概念とする。
【００４８】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００４９】
なお、上記の例では端末装置２５、問い合わせサーバ２６及びサービスサーバ２７が別個に構成されているが、これらの幾つか又は全てを１つの装置として構成することも可能である。本実施形態において、後述する識別サーバは、問い合わせサーバ２６及びサービスサーバ２７を兼ねているものとする。
【００５０】
[識別システム]
次に、本発明の識別システムについて説明する。図７に識別システム１００の概略構成を示す。図７に示す識別システム１００は、利用者が電子ペン１０を使用して所定の記入欄にストロークを入力したか否かを識別し、正確な情報を取得するものである。ここで、ストロークは、利用者が電子ペンを使用して１回の動作で記入する線分とする。
【００５１】
図７に示すように、識別システム１００は、端末装置２５及び識別サーバ５がネットワーク２を通じて接続されることにより構成される。ここで、ネットワーク２の１つの好適な例はインターネットである。また、端末装置２５とは、利用者が使用するパーソナルコンピュータ（以下、「ＰＣ」と呼ぶ。）や携帯電話といったネットワーク２を介してデータの授受が可能な端末である。なお、識別サーバ５は、利用者データベース（以下、「ＤＢ」と呼ぶ。）６に接続されている。
【００５２】
まず、本システムによるストローク識別方法の概要を述べておく。申込書３６は、図６に示すように上述の専用ペーパーとして作成されたものであり、複数の記入欄が配置されているものとする。利用者は、電子ペン１０を使用して所定の記号を当該申込書３６に記入する。ここで、記号とは数字や文字を含む広い概念とする。電子ペン１０は記入された記号に対応するストロークデータを取得し、電子ペン１０内のメモリ１２に一時的に記憶した後、ストロークデータを端末装置２５へ送信する。端末装置２５は、電子ペン１０からストロークデータを受信し、ネットワーク２を通じて識別サーバ５へ送信する。識別サーバ５は、ストローク識別処理や記号識別処理などを行うサーバである。識別サーバ５は、端末装置２５からストロークデータを受信すると、当該ストロークデータに基づいて、利用者が記入したストロークが申込書３６上に設けられたどの記入欄に記入されたものであるかを識別し、当該ストロークが表す記号も識別する。
【００５３】
次に、各構成要素について個別に説明する。まず、申込書３６について説明する。本発明のシステムでは、図６に示すような申込書３６は、上述した専用ペーパーとして作成されている。即ち、図５に例示するように台紙３０上に所定のドットパターン３２が印刷されており、その上に所定の文字や記入欄などが印刷されている。先に述べたように、ドットパターン３２は電子ペン１０が認識することができるように、カーボンを含んだインキにより印刷されている。一方、文字や記入欄などの図案３４は、通常の（カーボンを含まない）インキにより印刷されているため、電子ペン１０がそれを認識することはない。
【００５４】
図８（ａ）は、申込書３６に設けられた２つの記入欄５４及び５５に跨って数字「２」が記入された場合の例を示す。また、図８（ｂ）は、図８（ａ）における記入部、ストローク部及び重複部の座標系上における位置関係を示す図である。申込書３６に設けられた各記入欄に対応する領域は、予め設定されたドットパターン上の位置座標に基づいて規定されている。即ち、申込書３６の位置座標（ＸＹ座標）により規定されている。本実施形態では、図８（ａ）に示すように、各記入欄は全て四角形であるものとし、当該記入欄は、四角形の左上の頂点Ａ１、右上の頂点Ａ２、左下の頂点Ａ３の３点の位置座標で規定されるものとする。詳細は後述するが、各記入欄を規定する座標データは、予め座標テーブルに記憶されている。
【００５５】
利用者が電子ペン１０を使用して申込書３６に記入を行うと、電子ペン１０はドットパターンに基づいて、申込書３６のどの座標に記入が行われたかを示すデータを生成し、内部メモリ１２に記憶する。従って、図８（ａ）に示すように、申込書３６において、利用者が例えば記入欄５４に数字「２」を記入すると、電子ペン１０は、申込書３６上の記入位置座標を取得し、メモリ１２に記憶する。そして、利用者が申込書３６上に設けられている送信ボックスにチェックマークを記入すると、メモリ１２内に記憶されていた記入位置座標が記入データとして電子ペン１０から端末装置２５へ送信される。つまり、申込書３６上の記入欄５４に数字「２」が記入されたという情報を含んだ記入データが識別サーバ５へ送信される。
【００５６】
なお、利用者による記入は電子ペン１０を使用してフリーハンドで行われるため、図８（ａ）に示すように、数字「２」が記入欄５４に収まりきらず、当該記入欄５４の左右に隣接する他の記入欄５５にかかってしまう場合があることを考慮すべきである。通常、申込書３６上には複数の記入欄が隣接して設けられるので、ある記入欄に対して利用者が記入した記号が隣接する記入欄にも跨ってしまう場合がある。この問題は、利用者が記入欄内に収まるように記号を記入することを義務付ければ解消するのであるが、実際には利用者が短時間に多数の申込書３６への記入を行うので、小さな記入欄に素早く正確に記号を記入することは困難である。
【００５７】
そこで本実施形態では、電子ペン１０から記入データを取得した識別サーバ５が、記号を構成するストロークと記入欄との位置座標に基づいて、当該ストロークがどの記入欄に多く含まれているかを算出することにより、当該ストロークを利用者の意図する記入欄に記入されたものとして的確に識別し、処理することとしている。
【００５８】
なお、記号に１ストロークと２ストロークの記号が混在していると、１つの記号がどのストロークで構成されるか判別する必要が生じるが、説明を単純化するため、以下の実施形態では、記号は全て１ストロークの記号により構成されるものとする。
【００５９】
ここで、ストロークと記入欄の位置座標に基づいて、当該ストロークがどの記入欄に多く含まれているかを算出することで、当該ストロークがどの記入欄に対して記入されたものであるかを識別する方法について詳しく説明する。
【００６０】
具体的に、図８（ａ）に示すように、利用者が、隣接する２つの記入欄５４及び５５のうち、記入欄５４に数字「２」を記入しようとしたが、謝って記入欄５５にはみ出して記入してしまった場合について説明する。ここで、数字「２」はベクトルデータであり、図示のような８つのサンプル点５０の集合として表現されるものとする。
【００６１】
ストロークがどの記入欄に対して記入されたものであるかを識別する第１の方法として、各記入欄に含まれるサンプル点の数を算出し、所定のストロークは最も多くのサンプル点が含まれる記入欄に対して記入されたものであると識別する方法が考えられる。具体的に、図８（ａ）では、ストロークを構成するサンプル点は、記入欄５４に４点、記入欄５５に１点含まれている。そのため、識別サーバ５は、当該ストローク、即ち数字「２」は、記入欄５４に対して記入された記号であると識別する。
【００６２】
しかし、電子ペンの仕様によっては、必ずしもストロークに対するサンプル点を均等に抽出しないものも考えられる。具体的には、ストロークを認識するために最低限必要なサンプル点の座標のみを抽出する仕様が考えられる。この場合、ストロークが直線であって、記入の動きに大きな変動がないときは、記入開始点と記入終了点の２つの座標のみをサンプル点として抽出することとなる。そのため、サンプル点が少なすぎて第１の方法ではストロークが記入された記入欄を識別することができないという問題が生じる。
【００６３】
上述の問題を解消する、ストロークがどの記入欄に対して記入されたものであるかを識別する第２の方法として、当該ストロークに接するように囲む枠で規定される領域（以下、「ストローク部」と呼ぶ。）と、記入欄で規定される領域（以下、「記入部」と呼ぶ。）とが重複する領域（以下、「重複部」と呼ぶ。）を算出し、所定のストロークは重複部の面積が大きい記入欄に対して記入されたものであると識別する方法が考えられる。
【００６４】
具体的に、図８（ａ）において、数字「２」のストローク部５１と記入欄５４の記入部とが重複する領域は、左斜線で示す重複部５２である。また、ストローク部５１と記入欄５５の記入部とが重複する領域は、右斜線で示す重複部５３である。
【００６５】
図８（ｂ）は、図８（ａ）における記入部、ストローク部及び重複部と、それぞれの領域を規定する座標系上の位置座標との関係を模式的に示す図である。図８（ｂ）において、記入部は、上述した記入欄と同様に、四角形の左上の頂点Ａ１、右上の頂点Ａ２、左下の頂点Ａ３の３点で規定されるものとする。また、ストローク部は、四角形の左上の頂点Ｂ１、右上の頂点Ｂ２、左下の頂点Ｂ３の３点の位置座標で規定されるものとする。また、重複部は、四角形の左上の頂点Ｔ１、右上の頂点Ｔ２、左下の頂点Ｔ３の３点の位置座標で規定されるものとする。
【００６６】
ここで、図８（ｂ）に示すように、記入欄５４の記入部を規定する座標Ａ１乃至Ａ３は黒丸、ストローク部５１を規定する座標Ｂ１乃至Ｂ３は三角、重複部５２を規定する座標Ｔ１乃至Ｔ３は白丸で表す。なお、申込書３６においてそれぞれの領域を規定する位置座標は、正の値をとるものに限られず、負の値をとるものとしても構わない。
【００６７】
第２の方法において、識別サーバ５は、まず、ストローク部５１を規定する座標Ｂ１乃至Ｂ３を求める。座標Ｂ１乃至Ｂ３は、ストロークを構成するサンプル点の最大値及び最小値から算出することができる。具体的に、座標Ｂ１は、サンプル点のＸ軸上の最小値とＹ軸上の最小値で定義することができ、便宜上（ｘ１,ｙ１）とする。座標Ｂ２は、サンプル点のＸ軸上の最大値とＹ軸上の最小値で定義することができ、便宜上（ｘ２,ｙ２）とする。座標Ｂ３は、サンプル点のＸ軸上の最小値とＹ軸上の最大値で定義することができ、便宜上（ｘ３,ｙ３）とする。記入部５４を規定する座標Ａ１乃至Ａ３は、予め設定されているものであり、後述する座標テーブルから抽出することができる。便宜上、座標Ａ１は（Ｘ１,Ｙ１）、座標Ａ２は（Ｘ２,Ｙ２）、座標Ａ３は（Ｘ３,Ｙ３）とする。
【００６８】
次に識別サーバ５は、重複部５２の面積を求める。便宜上、重複部を規定する座標Ｔ１は（ｐ１,ｑ１）、座標Ｔ２は（ｐ２,ｑ２）、座標Ｔ３は（ｐ３,ｑ３）とする。重複部５２の面積は、ストローク部５１を規定する座標Ｂ１乃至Ｂ３と、記入部５４を規定する座標Ａ１乃至Ａ３とから算出することができる。具体的に、重複部５２の面積Ｎは、図８（ｂ）に示すような座標を利用して下記の数式１により算出することができる。なお、数式１において、ｍｉｎ（Ａ,Ｂ）はＡ,Ｂのうち小さい方、ｍａｘ（Ａ,Ｂ）はＡ,Ｂのうち大きい方を意味するものとする。
【００６９】
＜数式１＞
Ｎ＝（ｐ２−ｐ１）×（ｑ３−ｑ１）
＝（ｍｉｎ(ｘ２,Ｘ２)−ｍａｘ(ｘ１,Ｘ１))
×(ｍｉｎ(ｙ３,Ｙ３)−ｍａｘ(ｙ１,Ｙ１))
識別サーバ５は、数式１に基づいて、記入欄毎に所定のストロークに対する重複部の面積を算出することにより、所定のストロークは最も重複部の面積が大きい記入欄に対して記入されたものであると識別する。
【００７０】
なお、本実施形態では、利用者が記入する記号として１ストロークの数字「２」を適用した例について説明しているが、本発明はこれに限定されるものではなく、この他の１ストロークで記入可能な数字「３」や記号「三角（△）」を適用することも可能である。
【００７１】
次に、識別サーバ５について詳しく説明する。図９は、識別システム１００における、特に識別サーバ５の内部構成を示す。図示のように、識別サーバ５は、識別プログラム５０１、データ取得機能５０２、ストローク抽出機能５０３、サンプル点抽出機能５０４、ストローク部座標算出機能５０５、記入部座標抽出機能５０６、重複部面積算出機能５０７、座標テーブル５０８、重複面積記憶部５０９、ストローク識別機能５１０、記号識別機能５１１、記号テーブル５１２及び情報記憶機能５１３を有する。なお、各機能は、識別サーバ５が有するＣＰＵが予め用意されたプログラムを実行することにより実現される。
【００７２】
識別プログラム５０１は、端末装置２５を介して電子ペン１０から取得したデータ及び座標テーブル５０８に基づいて、所定のストロークがどの記入欄に対して記入されたものであるかを識別し、識別された記入欄に関する情報を利用者ＤＢ６に記憶するプログラムである。
【００７３】
データ取得機能５０２は、識別プログラム５０１を実行することにより、利用者が電子ペン１０を使用して申込書３６に記入した記入データを取得する機能である。
【００７４】
ストローク抽出機能５０３は、識別プログラム５０１を実行することにより、利用者が電子ペン１０を使用して１回の動作即ち一筆書きで記入したストローク毎の座標データを記入データから抽出する機能である。
【００７５】
サンプル点抽出機能５０４は、ストローク抽出機能５０３が抽出したストロークを構成するサンプル点の座標データを抽出する機能である。
【００７６】
ストローク部座標算出機能５０５は、サンプル点抽出機能５０４が抽出したサンプル点の座標データに基づいて、ストローク部を規定する座標Ｂ１乃至Ｂ３を算出する機能である。
【００７７】
記入部座標抽出機能５０６は、座標テーブル５０８から、記入部を規定する座標Ａ１乃至Ａ３を抽出する機能である。ここで、座標テーブル５０８について図１０を参照して説明する。座標テーブル５０８は、記入欄ＩＤをキーとして、Ａ１乃至Ａ３から構成される座標データを記憶している。記入欄ＩＤは、申込書３６に設けられた各記入欄を識別する情報であり、座標データは各記入欄ＩＤが示す記入欄の配置を示す申込書３６上の位置座標である。具体的に、Ａ１は記入欄左上の頂点座標、Ａ２は記入欄右上の頂点座標、Ａ３は記入欄右下の頂点座標である。具体的に記入部座標抽出機能５０６は、識別処理を行う特定の記入欄を示す記入欄ＩＤが「Ｋ００１」である場合、座標テーブル５０８から記入部座標として、座標Ａ１（１,１）、座標Ａ２（７,１）、座標Ａ３（１,５）を抽出する。なお、本実施形態において申込書３６上に設けられた記入欄は１０個であり、各記入欄の記入欄ＩＤとして「Ｋ００１〜Ｋ０１０」が設定されているものとする。
【００７８】
重複部面積算出機能５０７は、ストローク部座標算出機能５０５が算出した座標Ｂ１乃至Ｂ３と、記入部座標抽出機能５０６が抽出した座標Ａ１乃至Ａ３とに基づいて、数式１により、所定の記入欄における重複部の面積を算出する機能である。また、重複部面積算出機能５０７は、特定の記入欄を示す記入欄ＩＤをキーとして、重複面積記憶部５０９に算出した面積を記憶する機能である。
【００７９】
ストローク識別機能５１０は、重複面積記憶部５０９に記憶した各記入欄における重複部の面積を比較することにより、ストロークは最も重複部の面積が大きい記入欄に対して記入されたものであると識別する機能である。
【００８０】
記号識別機能５１１は、識別機能５１０が特定の記入欄に記入されたものであると識別したストロークのデータに基づいて記号テーブル５１２を参照することにより、利用者が記入した記号を識別する機能である。
【００８１】
ここで、記号テーブル５１２について図１１を参照して説明する。記号テーブル５１２は、記号ＩＤ、ストロークデータ及び内容から構成されている。記号ＩＤは、利用者が電子ペン１０を使用して記入した記号を識別する情報であり、ストロークデータは各記号を示すストロークのデータである。そして、内容は、各ストロークデータで示される各記号の内容を表しており、これによれば、記号ＩＤ「Ｇ０１０」の記号は、数字「１」である。具体的に、記号識別機能５１１は、ストローク識別機能５１０が特定の記入欄に記入されたストロークであると識別したもののストロークデータに基づいて記号テーブル５１２を参照することにより、当該ストロークが示す記号を識別する。
【００８２】
情報記憶機能５１３は、識別プログラム５０１を実行することにより、識別処理を行った特定の記入欄に関する情報を取得し、利用者ＤＢ６に記憶する機能である。ここで、利用者ＤＢ６について説明する。利用者ＤＢ６は、利用者ＩＤ及び記入欄情報から構成されており、利用者を識別可能な利用者ＩＤをキーとして、取得した記入欄に関する情報を記憶している。具体的に、本実施形態において、利用者ＩＤは申込書３６に記入を行う利用者の識別情報とする。この場合、利用者が使用する電子ペン１０から利用者ＩＤを取得する等種々の方法により、識別サーバ５は利用者ＩＤを入手できるものとする。また、記入欄情報は、識別処理を行った記入欄や当該記入欄に対応するストロークが示す記号の情報などであり、具体的には、記入欄５４に数字「２」が記入された等の情報である。これによれば、識別サーバ５は、利用者の記入により取得した情報を一括管理することができ、利用者ＤＢ６により任意のタイミングで当該情報を容易に参照することができる。
【００８３】
[識別処理]
次に、識別システム１００により実行される第１乃至第４識別処理について説明する。原則として、識別サーバ５は、第１乃至第４識別処理のいずれか１つを行うことにより、利用者が電子ペン１０を使用して記入したストロークに対応する記入欄を識別するものとする。
【００８４】
まず、識別システム１００により実行される第１識別処理について説明する。図１２は第１識別処理のフローチャートである。なお、第１識別処理は、利用者が電子ペン１０を使用して記入したストロークに対するサンプル点が均等に抽出できた場合に識別サーバ５が行う処理である。また、便宜上１つの記入欄には１ストロークで構成される記号が１つ記入されているものとする。つまり、２ストローク以上で構成される記号が記入されることはなく、１つの記入欄に２つ以上の記号が記入されることもないものとする。
【００８５】
まず、利用者は、申込書３６の記入欄に電子ペン１０を使用して記号を記入する。そして、申込書３６上の送信ボックスにチェックマークを記入することにより、端末装置２５を介して、記入データを識別サーバ５へ送信する。
【００８６】
識別サーバ５は、記入データを取得し、当該記入データからストローク毎の座標データを抽出する（ステップＳ１）。即ち、取得した記入データから記号毎の座標データを抽出する。そして、識別サーバ５は、抽出したストローク毎の座標データから、さらに当該ストロークを構成するサンプル点の座標データを抽出する（ステップＳ２）。また、識別サーバ５は、座標テーブルから、記入欄ＩＤが「Ｋｎ」の記入欄を規定する座標Ａ１乃至Ａ３の座標データを、記入部座標として抽出する（ステップＳ３）。なお、このとき記入欄ＩＤ「Ｋｎ」は、申込書３６に設けられた記入欄の記入欄ＩＤの中で最も小さい数字のものであるとする。具体的に、本実施形態では、申込書３６上に設けられた記入欄の記入欄ＩＤは「Ｋ００１〜Ｋ０１０」であるため、この場合のステップＳ３における記入欄ＩＤ「Ｋｎ」は、「Ｋ００１」となる。そして、識別サーバ５は、サンプル点の座標データに基づいて、座標Ａ１乃至Ａ３で規定される記入部にストロークを構成するサンプル点がいくつ含まれるかを算出し（ステップＳ４）、記入欄ＩＤをキーとして一時的にメモリへ記憶する（ステップＳ５）。
【００８７】
次に、識別サーバ５は、申込書３６に設けられた全ての記入欄についてステップＳ３乃至Ｓ５の処理を行ったか否かを判定する（ステップＳ６）。全ての記入欄についてステップＳ３乃至Ｓ５の処理を行っていない場合（ステップＳ６；ＮＯ）、識別サーバ５は、記入欄ＩＤに１を加算し（ステップＳ１０）、新たな記入欄ＩＤ「Ｋｎ」の記入欄に基づいてステップＳ３乃至Ｓ５の処理を繰り返し行う。一方、全ての記入欄についてステップＳ３乃至Ｓ５の処理を行った場合（ステップＳ６；ＹＥＳ）、識別サーバ５は、メモリに記憶した情報に基づいて、ストロークは最もサンプル点が多く含まれる記入欄に記入されたものであると識別する（ステップＳ７）。
【００８８】
次に、識別サーバ５は、ストロークの座標データと記号テーブルに基づいて、当該ストロークが表す記号を識別する（ステップＳ８）。そして、識別サーバ５は、利用者が使用する電子ペン１０から取得した利用者ＩＤをキーとして、識別した記入欄及び当該記入欄に利用者が記入した記号の情報を利用者ＤＢ６に記憶する（ステップＳ９）。これにより、第１識別処理は終了する。
【００８９】
これによれば、利用者が電子ペン１０を使用して記入したストロークが申込書３６上に設けられた複数の記入欄にかかっている場合であっても、容易且つ的確に当該ストロークに対応する記入欄を識別することができる。
【００９０】
次に、識別システム１００により実行される第２識別処理について説明する。図１３は第２識別処理のフローチャートである。なお、第２識別処理は、利用者が電子ペン１０を使用して記入したストロークに対するサンプル点が均等に抽出できない場合に識別サーバ５が行う処理である。また、便宜上１つの記入欄には１ストロークで構成される記号が１つ記入されているものとする。つまり、２ストローク以上で構成される記号が記入されることはなく、１つの記入欄に２つ以上の記号が記入されることもないものとする。
【００９１】
まず、利用者は、申込書３６の記入欄に電子ペン１０を使用して記号を記入する。そして、申込書３６上の送信ボックスにチェックマークを記入することにより、端末装置２５を介して、記入データを識別サーバ５へ送信する。
【００９２】
識別サーバ５は、まず、座標テーブルから、記入欄ＩＤ「Ｋｎ」の記入欄を規定する座標Ａ１乃至Ａ３の座標データを、記入部座標として抽出する（ステップＳ１１）。また、識別サーバ５は、端末装置２５を介して電子ペン１０から取得した記入データから、座標Ａ１乃至Ａ３に基づいて、記入欄ＩＤ「Ｋｎ」の記入欄を通るストロークの座標データを抽出する（ステップＳ１２）。即ち、取得した記入データから、記入欄ＩＤ「Ｋｎ」の記入欄を通る記号毎の座標データを抽出する。さらに、識別サーバ５は、記入データから、抽出したストロークを構成するサンプル点の座標データを抽出する（ステップＳ１３）。そして、識別サーバ５は、サンプル点の座標データに基づいて、ストローク部を規定する座標Ｂ１乃至Ｂ３の座標データを算出する（ステップＳ１４）。
【００９３】
次に、識別サーバ５は、ストローク部を規定する座標Ｂ１乃至Ｂ３と、記入部を規定する座標Ａ１乃至Ａ３とに基づいて、重複部の面積を算出し（ステップＳ１６）、記入欄ＩＤ「Ｋｎ」をキーとして、当該重複部の面積を重複面積記憶部に記憶する（ステップＳ１７）。そして、識別サーバ５は、申込書３６に設けられた全ての記入欄についてステップＳ１１乃至Ｓ１７の処理を行ったか否かを判定する（ステップＳ１８）。全ての記入欄についてステップＳ１１乃至Ｓ１７の処理を行っていない場合（ステップＳ１８；ＮＯ）、識別サーバ５は、記入欄ＩＤに１を加算し（ステップＳ１９）、新たな記入欄ＩＤ「Ｋｎ」の記入欄に基づいてステップＳ１１乃至Ｓ１７の処理を繰り返し行う。一方、全ての記入欄についてステップＳ１１乃至Ｓ１７の処理を行っている場合（ステップＳ１８；ＹＥＳ）、識別サーバ５は、重複面積記憶部に記憶した情報に基づいて、各ストロークは最も重複面積の大きい記入欄に記入されたと識別する（ステップＳ２０）。
【００９４】
次に、識別サーバ５は、各ストロークの座標データと記号テーブルに基づいて、各ストロークが表す記号を識別する（ステップＳ２１）。そして、識別サーバ５は、利用者が使用する電子ペン１０から取得した利用者ＩＤをキーとして、識別した記入欄及び当該記入欄に利用者が記入した記号の情報を利用者ＤＢ６に記憶する（ステップＳ２２）。これにより、第２識別処理は終了する。
【００９５】
これによれば、ストロークに対するサンプル点が均等に抽出できない場合であっても、容易且つ的確に当該ストロークに対応する記入欄を識別することができる。
【００９６】
次に、識別システム１００により実行される第３識別処理について説明する。図１４は第３識別処理のフローチャートである。なお、第３識別処理は、利用者が電子ペン１０を使用して記入したストロークに対するサンプル点が均等に抽出できない場合に識別サーバ５が行う処理である。また、便宜上１つの記入欄には１ストロークで構成される記号が１つ記入されているものとする。つまり、２ストローク以上で構成される記号が記入されることはなく、１つの記入欄に２つ以上の記号が記入されることもないものとする。
【００９７】
まず、利用者は、申込書３６の記入欄に電子ペン１０を使用して記号を記入する。そして、申込書３６上の送信ボックスにチェックマークを記入することにより、端末装置２５を介して、記入データを識別サーバ５へ送信する。
【００９８】
識別サーバ５は、まず、座標テーブルから記入欄ＩＤ「Ｋｎ」の記入欄を規定する座標Ａ１乃至Ａ３の座標データを、記入部座標として抽出する（ステップＳ３１）。また、識別サーバ５は、端末装置２５を介して電子ペン１０から取得した記入データから、座標Ａ１乃至Ａ３に基づいて、記入欄ＩＤ「Ｋｎ」の記入欄を通るストロークの座標データを抽出する（ステップＳ３２）。即ち、取得した記入データから、記入欄ＩＤ「Ｋｎ」の記入欄を通る記号の座標データを抽出する。そして、識別サーバ５は、抽出したストロークを構成するサンプル点の座標データを抽出する（ステップＳ３３）。さらに、識別サーバ５は、サンプル点の座標データに基づいて、ストローク部を規定する座標Ｂ１乃至Ｂ３の座標データを算出する（ステップＳ３４）。そして、識別サーバ５は、ストローク部を規定する座標Ｂ１乃至Ｂ３のＸＹ軸上における最大値及び最小値から、当該ストローク部の面積を算出する（ステップＳ３５）。
【００９９】
次に、識別サーバ５は、ストローク部を規定する座標Ｂ１乃至Ｂ３と、記入部を規定する座標Ａ１乃至Ａ３とに基づいて、重複部の面積を算出する（ステップＳ３６）。そして、識別サーバ５は、重複部の面積が、ステップＳ３５で算出したストローク部の面積の５１％以上であるか否かを判定する（ステップＳ３７）。ストローク部の面積が５１％未満の場合、識別サーバ５は、申込書３６に設けられた全ての記入欄についてステップ差３１乃至３６の処理を行ったか否かを判定する（ステップＳ４０）。一方、ストローク部の面積が５１％以上の場合、識別サーバ５は、ストロークは記入欄ＩＤ「Ｋｎ」の記入欄に対して記入されたと識別する（ステップＳ３９）。そして、識別サーバ５は、申込書３６に設けられた全ての記入欄についてステップＳ３１乃至Ｓ３６の処理を行ったか否かを判定する（ステップＳ４０）。
【０１００】
判定の結果、全ての記入欄についてステップＳ３１乃至Ｓ３６の処理を行っていない場合（ステップＳ４０；ＮＯ）、識別サーバ５は、記入欄ＩＤに１を加算し（ステップＳ３８）、新たな記入欄ＩＤ「Ｋｎ」の記入欄に基づいてステップＳ３１乃至Ｓ３６の処理を繰り返し行う。一方、判定の結果、全ての記入欄についてステップＳ３１乃至Ｓ３６の処理を行っている場合（ステップＳ４０；ＹＥＳ）、各ストロークの座標データと記号テーブルに基づいて、各ストロークが表す記号を識別する（ステップＳ４１）。そして、識別サーバ５は、利用者が使用する電子ペン１０から取得した利用者ＩＤをキーとして、識別した記入欄及び当該記入欄に利用者が記入した記号の情報を利用者ＤＢ６に記憶する（ステップＳ４２）。これにより、第３識別処理は終了する。
【０１０１】
これによれば、ストロークに対するサンプル点が均等に抽出できない場合であっても、重複部の面積がストローク部の面積における一定割合以上である記入欄が見つかれば、容易且つ的確に当該記入欄がストロークに対応するものであると識別することができる。
【０１０２】
なお、上記の実施形態では、重複部の面積がストローク部の面積の５１％以上と規定しているが、本発明はこれに限定されるものではなく、任意の割合を設定することができる。具体的に、申込書３６に設けられた記入欄が小さく、利用者が記入する記号が当該記入欄をはみ出る可能性が高い場合は、当該割合を小さく設定することも可能である。
【０１０３】
次に、識別システム１００により実行される第４識別処理について説明する。図１５は第４識別処理のフローチャートである。なお、第４識別処理は、利用者が電子ペン１０を使用して記入したストロークに対するサンプル点が均等に抽出できない場合に識別サーバ５が行う処理である。また、便宜上１つの記入欄には１ストロークで構成される記号が１つ記入されているものとする。つまり、２ストローク以上で構成される記号が記入されることはなく、１つの記入欄に２つ以上の記号が記入されることもないものとする。
【０１０４】
まず、利用者は、申込書３６の記入欄に電子ペン１０を使用して記号を記入する。そして、申込書３６上の送信ボックスにチェックマークを記入することにより、端末装置２５を介して、記入データを識別サーバ５へ送信する。
【０１０５】
識別サーバ５は、記入データを取得し、当該記入データからストローク毎の座標データを抽出する（ステップＳ５１）。即ち、取得した記入データから記号毎の座標データを抽出する。そして、識別サーバ５は、抽出したストロークを構成するサンプル点の座標データを抽出する（ステップＳ５２）。さらに、識別サーバ５は、ストロークを構成するサンプル点が含まれる記入欄を全て抽出する（ステップＳ５３）。そして、識別サーバ５は、ストロークを構成する全てのサンプル点に対して、ステップＳ５３の処理を行ったか否かを判定する（ステップＳ５４）。全てのサンプル点に対してステップＳ５３の処理を行っていない場合（ステップＳ５４；ＮＯ）、識別サーバ５は、当該処理を繰り返し行う。一方、全てのサンプル点に対して、ステップＳ５３の処理を行っている場合（ステップＳ５４；ＹＥＳ）、識別サーバ５は、ステップＳ５２で抽出したサンプル点の座標データに基づいて、ストローク部を規定する座標Ｂ１乃至Ｂ３の座標データを算出する（ステップＳ５５）。また、識別サーバ５は、座標テーブルから、ステップＳ５３で抽出した記入欄の記入部を規定する座標Ａ１乃至Ａ３の座標データを抽出する（ステップＳ５６）。
【０１０６】
次に、識別サーバ５は、ストローク部を規定する座標Ｂ１乃至Ｂ３と、記入部を規定する座標Ａ１乃至Ａ３とに基づいて、重複部の面積を算出し（ステップＳ５７）、記入欄ＩＤをキーとして、当該重複部の面積を重複面積記憶部に記憶する（ステップＳ５８）。そして、識別サーバ５は、ステップＳ５３で抽出した全ての記入欄についてステップＳ５６乃至Ｓ５８の処理を行ったか否かを判定する（ステップＳ５９）。全ての記入欄についてステップＳ５６乃至Ｓ５８の処理を行っていない場合（ステップＳ５９；ＮＯ）、識別サーバ５は、当該処理を繰り返し行う。一方、全ての記入欄についてステップＳ５６乃至Ｓ５８の処理を行った場合（ステップＳ５９；ＹＥＳ）、識別サーバ５は、記入欄ＩＤをキーとして重複面積記憶部に記憶した情報に基づいて、ストロークは最も重複面積の大きい記入欄に記入されたと識別する（ステップＳ６０）。
【０１０７】
次に、識別サーバ５は、ストロークの座標データと記号テーブルに基づいて、当該ストロークが示す記号を識別する（ステップＳ６１）。そして、識別サーバ５は、利用者が使用する電子ペン１０から取得した利用者ＩＤをキーとして、識別した記入欄及び当該記入欄に利用者が記入した記号の情報を利用者ＤＢ６に記憶する（ステップＳ６２）。これにより、第４識別処理は終了する。
【０１０８】
これによれば、ストロークを構成するサンプル点が均等に抽出できない場合であっても、容易且つ的確に当該ストロークに対応する記入欄を識別することができる。また、１つのストロークに対して、申込書３６に設けられた全ての記入欄について処理を行わなくとも、当該ストロークを構成するサンプル点が含まれる記入欄のみについて処理を行うことで、容易に当該ストロークが記入された記入欄を識別することができる。
【０１０９】
なお、上記実施形態では、申込書３６に設けられた記入欄が図８（ａ）に示すように横に隣接する構成となっているが、本発明はこれに限定されるものではなく、申込書３６に設けられた記入欄が縦横任意に隣接する構成の場合であっても、記入部を規定する座標Ａ１乃至Ａ３と、ストローク部を規定する座標Ｂ１乃至Ｂ３とに基づいて重複部の面積を算出することで本発明を適用することが可能である。
【０１１０】
また、上記実施形態では、便宜上１つの記入欄には１ストロークの記号が記入されることとしているが、本発明はこれに限定されるものではなく、１つの記入欄に例えば数字の「４」といった２ストローク以上で構成される記号が記入される場合にも適用することができる。この場合、各識別処理に含まれる、記号テーブルを参照して利用者が所定の記入欄に記入した記号を識別する処理は、各記入欄に記入されたと識別される全てのストロークが確認された後に行うことになる。
【０１１１】
本発明によれば、複数の記入欄に跨ってストロークが記入された場合であっても、識別サーバ５は、容易且つ的確に利用者が意図する記入欄を識別することが可能となるため、正確に記入するといった利用者の負担を軽減することができる。また、余分なストロークを排除することができるため、文字認識処理などを行う際の精度向上にも効果がある。
【０１１２】
[変形例]
上記実施形態では、識別サーバ５は、第１乃至第４識別処理のいずれか１つを行うことにより、利用者が電子ペン１０により記入したストロークに対応する記入欄を識別するものとしているが、本発明はこれに限定されるものではなく、第１識別処理と、第２乃至第４識別処理のいずれか１つとを組み合わせて識別することとしてもよい。
【０１１３】
具体的に、識別サーバ５は、利用者が電子ペン１０により記入したストロークを構成するサンプル点が当該ストロークに対して均等に抽出されたか否かを判定し、均等に抽出されていれば第１識別処理を行い、均等に抽出されていなければ第２乃至第４識別処理のいずれか１つを行うように構成する。第１識別処理は重複面積を算出することなく、ストロークを構成するサンプル点の数に基づいて記入欄を識別するため、第２乃至第４識別処理と比較して、識別サーバ５における処理負担が少なく迅速に行うことが可能である。よって、第１識別処理と、第２乃至第４識別処理のいずれか１つとを組み合わせることにより、識別サーバ５の処理負担を軽減しつつ、効率良く的確に記入欄を識別することが可能となる。
【産業上の利用可能性】
【０１１４】
この識別システムによって、隣接した項目に跨って記入されたストロークが、どの項目に対して記入されたものであるかを容易且つ的確に識別することができる。
【図面の簡単な説明】
【０１１５】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明における識別システムの概略構成を示す図である。
【図８】本実施形態の申込書における記入部、ストローク部及び重複部と、それぞれの領域を規定する位置座標との関係を模式的に示す図である。
【図９】図７に示す識別システムに含まれる識別サーバの機能ブロック図である。
【図１０】座標テーブルのデータ構造を模式的に示す図である。
【図１１】記号テーブルのデータ構造を模式的に示す図である。
【図１２】本実施形態における第１識別処理のフローチャートである。
【図１３】本実施形態における第２識別処理のフローチャートである。
【図１４】本実施形態における第３識別処理のフローチャートである。
【図１５】本実施形態における第４識別処理のフローチャートである。
【符号の説明】
【０１１６】
２…ネットワーク
５…識別サーバ
６…利用者ＤＢ
１０…電子ペン
１１…プロセッサ
１２…メモリ
１３…データ通信ユニット
１４…バッテリー
２５…端末装置
２６…問い合わせサーバ
２７…サービスサーバ
３６…申込書
１００…識別システム
【図１】
2005149264.tif 000003
【図２】
2005149264.tif 000004
【図３】
2005149264.tif 000005
【図４】
2005149264.tif 000006
【図５】
2005149264.tif 000007
【図６】
2005149264.tif 000008
【図７】
2005149264.tif 000009
【図８】
2005149264.tif 000010
【図９】
2005149264.tif 000011
【図１０】
2005149264.tif 000012
【図１１】
2005149264.tif 000013
【図１２】
2005149264.tif 000014
【図１３】
2005149264.tif 000015
【図１４】
2005149264.tif 000016
【図１５】
2005149264.tif 000017